(57)【要約】      （修正有）【課題】正負極電極片の組付作業を容易にし、水垢の沈殿を無くして電解槽の使用寿命を延長できる同軸対称全開放式電解槽を提供する。【解決手段】ケースと、正極電極片と、負極電極片と、台座と、から構成される同軸対称全開放式電解槽であって、ケースは上端に上蓋が結合され、上蓋には廃水排出口と電源連接穴が設され、電源連接穴内には互いに対称な挿入穴が開設され、ケース内には外支持台が嵌められ、外支持台の底端には入水穴が設けられ、外支持台内には円筒形状を呈する正極電極片が嵌められており、正極電極片内には円筒形状を呈する負極電極片も嵌められており、ケースの底端には下蓋が結合されており、前記下蓋の底端には前記外支持台の入水穴を挿通するための貫通孔が開設されている。【選択図】図３
0003143493.tif 000002
【実用新案登録請求の範囲】
【請求項１】
ケースと、正極電極片と、負極電極片と、台座と、から構成される同軸対称全開放式電解槽であって、
前記ケースは、上端に上蓋が結合されており、
前記上蓋の上端には、廃水排出口が開設されており、且つ電源連接穴も開設されており、
前記電源連接穴内には互いに対称している挿入穴が開設されており、
前記ケース内には外支持台が嵌められており、
前記外支持台の底端には入水穴が延設されており、
前記外支持台内には円筒形状を呈する正極電極片が嵌められており、
前記正極電極片の上端に電源端子が連接されており、
前記電源端子は前記上蓋の電源連接穴の挿入穴を挿通して外部に突出しており、
前記正極電極片内には円筒形状を呈する負極電極片も嵌められており、
前記負極電極片の上端には電源端子が連接されており、
前記負極電極片の外側の上端縁には水通過剖開溝が開設されており、
前記負極電極片内には内支持台も嵌められており、前記内支持台の底端には開口が開設されており、
前記ケースの底端には下蓋が結合されており、
前記下蓋の底端には前記外支持台の入水穴を挿通するための貫通孔が開設されており、
前記下蓋の底端には、台座が設けられており、且つ側縁に排水穴が開設されており、
前記台座には入水口と排水口とが設けられており、
前記入水口は前記外支持台の入水穴と連通しており、
前記排水口は前記下蓋の排水穴と連通していることを特徴とする、
同軸対称全開放式電解槽。
【請求項２】
前記上蓋の底端面には環状突起が凸設されており、前記内支持台の外側縁には押上凸縁が凸設されており、前記押上凸縁により負極電極片の上下端縁が押上されており、且つ前記外支持台の内側の上端縁には溝が凹設されており、前記溝により前記正極電極片の電源端子が収容され、前記外支持台の内側の下端縁には段差縁が形成されており、前記段差縁により前記正極電極片の下端縁が支持されていることを特徴とする、請求項１に記載の同軸対称全開放式電解槽。
【請求項３】
前記外支持台の入水穴が貫入している内面には押付溝が形成されており、前記内支持台の底端には、前記押付溝に押付している押付凸部が凸設されていることを特徴とする、請求項１に記載の同軸対称全開放式電解槽。
【考案の詳細な説明】
【技術分野】
【０００１】
本考案は、同軸対称全開放式電解槽に関し、特に、電解槽の正負極電極片が円筒形状を呈しており、組付作業している時に、正負極電極片の間に仕切膜を別に設けることが必要ない同軸対称全開放式電解槽に関するものである。
【背景技術】
【０００２】
図５に示すように、従来の水質フィルターの電解槽の構成は、電解槽５のケース５１の内部に、プレート形状を呈する正負極電極片５２，５３がそれぞれ設けられている。
正負極電極片５２，５３は、プレート形状を呈するので、長さが長いと、中央位置では重力によって湾曲している傾向がある。
この湾曲による正負極電極片５２，５３の短絡を防止するために、正負極電極片５２，５３の間に仕切片５４を設けることが必要となる。
且つケース５１の内部に蓋５５がカバーされてする。
通電している正負極電極片５２，５３に水を通過すると、飲用水として飲用することができるアルカリ性のマイナスイオン水が発生される。
従来の水質フィルターの電解槽の構造によれば、正負極電極片５２，５３の組付作業が困難であり、且つ仕切片５４による水の流動に対する抵抗によって、仕切片５４の周りにイオンが沈殿するようになる。
これにより、電解槽の使用寿命が短くなる。
さらにプレート形状を呈する正負極電極片５２，５３の耐水圧性が良くないので、水が漏れ易いといった問題があった。
【考案の開示】
【考案が解決しようとする課題】
【０００３】
本考案の主な目的は、正負極電極片の組付作業が容易になり、電解効率が増加し、水垢の沈殿が無くなり、電解槽の使用寿命が更に長くなる同軸対称全開放式電解槽を提供することにある。
【課題を解決するための手段】
【０００４】
本考案の請求項１に記載の同軸対称全開放式電解槽によると、ケースと、正極電極片と、負極電極片と、台座と、から構成される同軸対称全開放式電解槽であって、前記ケースは、上端に上蓋が結合されており、前記上蓋の上端には、廃水排出口が開設されており、且つ電源連接穴も開設されており、前記電源連接穴内には互いに対称している挿入穴が開設されており、前記ケース内には外支持台が嵌められており、前記外支持台の底端には入水穴が延設されており、前記外支持台内には円筒形状を呈する正極電極片が嵌められており、前記正極電極片の上端に電源端子が連接されており、前記電源端子は前記上蓋の電源連接穴の挿入穴を挿通して外部に突出しており、前記正極電極片内には円筒形状を呈する負極電極片も嵌められており、前記負極電極片の上端には電源端子が連接されており、そして前記負極電極片の外側の上端縁には水通過剖開溝が開設されており、前記負極電極片内には内支持台も嵌められており、前記内支持台の底端には開口が開設されており、前記ケースの底端には下蓋が結合されており、前記下蓋の底端には前記外支持台の入水穴を挿通するための貫通孔が開設されており、前記下蓋の底端には、台座が設けられており、且つ側縁に排水穴が開設されており、前記台座には入水口と排水口とが設けられており、前記入水口は前記外支持台の入水穴と連通しており、前記排水口は前記下蓋の排水穴と連通していることを特徴とする同軸対称全開放式電解槽である。
【０００５】
本考案の請求項２に記載の同軸対称全開放式電解槽によると、前記上蓋の底端面には環状突起が凸設されており、前記内支持台の外側縁には押上凸縁が凸設されており、前記押上凸縁により負極電極片の上下端縁が押上されており、且つ前記外支持台の内側の上端縁には溝が凹設されており、前記溝により前記正極電極片の電源端子が収容され、前記外支持台の内側の下端縁には段差縁が形成されており、前記段差縁により前記正極電極片の下端縁が支持されている。
本考案の請求項３に記載の同軸対称全開放式電解槽によると、前記外支持台の入水穴が貫入している内面には押付溝が形成されており、前記内支持台の底端には、前記押付溝に押付している押付凸部が凸設されている。
【考案の効果】
【０００６】
本考案に係る同軸対称全開放式電解槽によれば、正負極電極片の組付作業が容易になるだけでなく、電解効率が増加して、水垢の沈殿が無くなり、さらに電解槽の使用寿命が更に長くなるという効果を有する。
【考案を実施するための最良の形態】
【０００７】
以下、本考案の実施の形態を図面に基づいて説明する。
まず、図１及び図２を参照する。
図１は本考案の構造を示す分解斜視図であり、図２は本考案の一部の構造を示す分解斜視図である。
本考案に係る同軸対称全開放式電解槽は、ケース１と、正極電極片２と、負極電極片３と、台座４と、から構成される。
次に、図３を参照する。
図３は本考案の組合せ状態の構造を示す断面図である。
ケース１は、図３に示すように、上端に上蓋１１が結合されている。
上蓋１１の底端面には環状突起１１１が凸設されている。
上蓋１１の上端には、廃水排出口１１２が開設されている。
且つ電源連接穴１１３も開設されている。
電源連接穴１１３内には互いに対称している挿入穴１１４，１１５が開設されている。
ケース１内には外支持台１２が嵌められている。
外支持台１２の内側の下端縁には段差縁１２１が形成されている。
外支持台１２の内側の上端縁には溝１２２が凹設されている。
外支持台１２の底端には入水穴１２３が延設されている。
外支持台１２の入水穴１２３が貫入している内面には押付溝１２４が形成されている。
外支持台１２内には円筒形状を呈する正極電極片２が嵌められており、正極電極片２の下端縁が外支持台１２の段差縁１２１に支持されており、正極電極片２の上端に電源端子２１が連接されている。
電源端子２１は外支持台１２の溝１２２に収容されている。
電源端子２１は、上蓋１１の電源連接穴１１３の挿入穴１１４を挿通して外部に突出している。
正極電極片２内には円筒形状を呈する負極電極片３も嵌められている。
負極電極片３の上端には電源端子３１が連接されている。
そして負極電極片３の上縁が上蓋１１の環状突起１１１に位置決められている。
負極電極片３の上端には電源端子３１が連接されている。
そして負極電極片３の外側の上端縁には水通過剖開溝３２が開設されている。
負極電極片３内には内支持台１３も嵌められている。
内支持台１３の底端には押付溝１２４に押付している押付凸部１３１が凸設されている。
押付凸部１３１の周縁には開口１３２が開設されている。
内支持台１３の外側縁には押上凸縁１３３が凸設されており、押上凸縁１３３により負極電極片３の下端縁が押上されている。
ケース１の底端には下蓋１４が結合されている。
下蓋１４の底端には外支持台１２の入水穴１２３を挿通するための貫通孔１４１が開設されている。
下蓋１４の底端には、台座４が設けられており、且つ側縁に排水穴１４２が開設されている。
台座４には入水口４１と排水口４２とが設けられている。
入水口４１は外支持台１２の入水穴１２３と連通しており、排水口４２は下蓋１４の排水穴１４２と連通している。
【０００８】
図４に示すように、正極電極片２の電源端子２１と負極電極片３の電源端子３１とは、ケース１の上蓋１１の電源連接穴１１３をそれぞれ嵌めて通電してある。
台座４の入水口４１から水を流し込むと、流入した水は、外支持台１２の入水穴１２３を通過して、内支持台１３の押付凸部１３１の周縁に開設された開口１３２から流出する。
そうすると、水が正極電極片２と負極電極片３の間を通過し電解される。
電解の過程中において、負極電極片３に吸引されるカルシウムイオン、カリウムイオン、マグネシウムイオン及びナトリウムイオン等は、負極電極片３の外側の上端縁に開設された水通過剖開溝３２を通過して、上蓋１１の上端に開設された廃水排出口１１２から排出される。
また、電解して発生されたアルカリ性水は、正極電極片２とケース１の間を通過して、下蓋１４の排水穴４２１を通過して台座４の排水口４２から排出される。
【０００９】
上記した説明から明らかなように、本考案に係る電解槽のケースの内部には、円筒形状を呈する正負極電極片が設けられており、正負極電極片は、円筒形状を呈するので、支持強度が向上し、容易に湾曲することがなくなる。
さらに正負極電極片の間には仕切片を別に設けることも必要なくなる。
そして正負極電極片の間にある距離を保持しつつ、水を排出する箇所では、廃水排出口及び排水穴が別々に設けられている。
これにより、酸性水とアルカリ性水とが分流されるようになる。
したがって、本考案に係る同軸対称全開放式電解槽によれば、正負極電極片の組付作業が容易になって、電解効率が増加して、水垢の沈殿が無くなり、さらに電解槽の使用寿命が更に長くなって、フィルターの交換が更に速くなるという効果を有する。
【図面の簡単な説明】
【００１０】
【図１】本考案の構造を示す分解斜視図である。
【図２】本考案の一部の構造を示す分解斜視図である。
【図３】本考案の組合せ状態の構造を示す断面図である。
【図４】本考案の組合せ状態の一部の構造を示す断面図である。
【図５】従来のものの構造を示す分解斜視図である。
【符号の説明】
【００１１】
１：ケース、２：正極電極片、３：負極電極片、４：台座、５：電解槽、１１：上蓋、１２：外支持台、１３：内支持台、１４：下蓋、２１：電源端子、３１：電源端子、３２：水通過剖開溝、４１：入水口、４２：排水口、５１：ケース、５２：正極電極片、５３：負極電極片、５４：仕切片、５５：蓋、１１１：環状突起、１１２：廃水排出口、１１３：電源連接穴、１１４：挿入穴、１１５：挿入穴、１２１：段差縁、１２２：溝、１２３：入水穴、１２４：押付溝、１３１：押付凸部、１３２：開口、１３３：押上凸縁、１４１：貫通孔、１４２：排水穴。
【図１】
0003143493.tif 000003
【図２】
0003143493.tif 000004
【図３】
0003143493.tif 000005
【図４】
0003143493.tif 000006
【図５】
0003143493.tif 000007